(57)【要約】【課題】  情報処理装置を組み立てた後でも、情報処理装置の管理情報を容易に取得することができる情報処理装置の管理システムを提供することにある。【解決手段】  情報処理装置２の基本制御部２−１、オプション部２−２、ＦＡＮ２−６、電源部２−８などに、外部から読み書き可能な電子タグにＭＰＵ２−１−１からも読み書き可能なインタフェースを付加した高機能電子タグを備え、ＭＰＵ２−１−１が、ＦＡＮ２−６や電源部２−６などの論理部でない部分からでも管理情報を読み出して、情報処理装置２の管理情報を取得する。【選択図】  図３
2007207130.tif 000002
【特許請求の範囲】
【請求項１】
ＭＰＵを持つ基本制御部と、各種機能を提供する組み替え可能なオプション部からなる情報処理装置を管理する情報処理装置管理システムにおいて、ＭＰＵを持つ基本制御部と各種機能を提供する組み替え可能なオプション部に、外部から読み書き可能な電子タグにＭＰＵからも読み書き可能なインタフェースを付加した高機能電子タグを組み込み、基本制御部や組み替え可能なオプション部に製造時に高機能電子タグに、管理情報（製品識別コード（Ｋ）、製造来歴情報（Ｒ））を書き込んでおき、情報処理装置に基本制御部や組み替え可能なオプション部を組み込み後に、ＭＰＵより管理情報（製品識別コード（Ｋ）・製造来歴情報（Ｒ））を取得することで、情報処理装置に組み込んだオプション部組み合わせなどの管理情報（製品識別コード（Ｋ）・製造来歴情報（Ｒ））を用意に取得することができることを特徴とする情報処理装置管理システム。
【請求項２】
請求項１記載の情報処理装置管理システムにおいて、ＦＡＮ部や電源部に取り付けた電子タグを、ＭＰＵを持つ基本制御部から読み取り可能する機能を設け、ＭＰＵから管理情報（製品識別コード（Ｋ）、製造来歴情報（Ｒ））を読み取り可能とすることにより、情報処理装置にＦＡＮ部や電源部を組み込み後に、ＭＰＵより一括で管理情報（製品識別コード（Ｋ）・製造来歴情報（Ｒ））を取得することで、情報処理装置にＦＡＮ部や電源部の管理情報（製品識別コード（Ｋ）・製造来歴情報（Ｒ））を取得することを特徴とする情報処理装置管理システム。
【請求項３】
請求項２記載の情報処理装置管理システムにおいて、電波漏洩防止対策を施された情報処理装置に外部から読み取り可能で、かつ基本制御部より書込み可能な高機能電子タグを設けることにより、ＭＰＵで取得した情報処理装置に組み込んだオプション部及びＦＡＮ部と電源部の管理情報（製品識別コード（Ｋ）、製造来歴情報（Ｒ））を高機能電子タグに書込み、情報処理装置外部から組み込んだオプション部、ＦＡＮ部と電源部の管理情報（製品識別コード（Ｋ）、製造来歴情報（Ｒ））を取得することを特徴とする情報処理装置管理システム。
【請求項４】
請求項２記載の情報処理装置において、ＭＰＵで動作するテストプログラムを使用して管理情報（製品識別コード（Ｋ）・製造来歴情報（Ｒ））を読み出し、製造来歴をチェックして装置出荷後に判明した製造上の問題が発生したオプション部等を含んでいないかを確認するテスト機能を設けることによって、装置の出荷時や納入先も容易に製造来歴を確認することを特徴とする情報処理装置管理システム。
【発明の詳細な説明】
【技術分野】
【０００１】
本発明は、情報処理装置の構成や製造来歴を管理する情報処理装置管理システムに関する。
【背景技術】
【０００２】
情報処理装置は、基本制御部や各種機能を提供する組み替え可能なオプション部などからなるが、装置の構成管理のために基本制御部やオプション部の種別示す製品識別コード（Ｋ）が必要であり、製造来歴を管理するため製造来歴情報（Ｒ）を基本制御部やオプション部に付与して管理する必要がある。これらの管理情報は品質を管理するために情報処理装置にオプション部などを組み込む時に記録・保管する必要がある。
【０００３】
従来の情報処理装置では、管理用にバーコードと管理情報用ROMを用いるなどしていた。情報処理装置のオプション部などの組み合わせや製造来歴の管理のために、バーコードを貼り付け、基本制御部やオプション部等の論理部には、管理情報を格納した管理情報用ROMなどを設けて対応してきた。この場合、情報処理装置にオプション部を搭載する時にバーコードを読み込み出荷データの管理用にすると共に、管理情報用ROMにバーコード情報を格納することで、基本制御部のMPUから管理情報を読み取る事ができるようにしていた。
【０００４】
【特許文献１】特開2002-358112号公報
【発明の開示】
【発明が解決しようとする課題】
【０００５】
しかし、オプション部毎にバーコードの読込みと、管理情報用ROMの書き込みがその都度必要であるため、作業に時間がかかってしまっていた。また、FANや電源部などの論理部でない部分については管理情報をMPUから読み取り管理することはできなかった。
【０００６】
さらに、情報処理装置をオプション部やFAN・電源部などを組み込んだ状態では全ての管理情報を読み取る事はできず、電源を投入していてもＭＰＵからは基本制御部やオプション部などの論理部の管理情報しか取得する事できないため、管理情報をバーコードとして別に作成し、外部バーコードラベルを付加する必要があるという欠点があった。
【０００７】
この改善策として、バーコードを電子タグに置き換えただけでは、読み取りが容易にはなるが、管理情報用ROMの書き込みは必要で作業時間の削減にはならず、FANや電源部などの論理部でない部分については管理情報をMPUから読み取り管理することはできない。情報処理装置は電波漏洩防止対策ため電波的にシールドされており情報処理装置に基本制御部やオプション部などを組み込んだ状態では、基本制御部やオプション部など電子タグを読み取る事ができず、欠点の克服はできなかった。
【０００８】
本発明の目的は、情報処理装置の管理情報を容易に取得することができる情報処理装置の管理システムを提供することにある。
【課題を解決するための手段】
【０００９】
上記目的を達成するために本発明は、外部から読み書き可能な電子タグにＭＰＵからも読み書き可能なインタフェースを付加した高機能電子タグを使用することで、ＭＰＵが、FANや電源部などの論理部でない部分からでも管理情報を読み出して、情報処理装置の管理情報を取得する構成を採用した。
【発明の効果】
【００１０】
本発明によれば、外部から読み書き可能な電子タグにＭＰＵからも読み書き可能なインタフェースを付加した高機能電子タグを設けることで、管理情報を格納する作業時間を短縮し、FANや電源部などの論理部でない部分からでも管理情報をMPUより読み出し可能とし、情報処理装置を組み立ててしまった後でも、管理情報を容易に取得できるようにするという利点がある。
【発明を実施するための最良の形態】
【００１１】
図１は、従来の管理方式の例を示す。
【００１２】
従来の情報処理装置１は、基本制御部１−１、オプション部A〜C（１−２〜１−４）、電源部１，２（１−８，１−９）、ＦＡＮ１，２（１−６，１−７）から構成され、バーコードをそれぞれ（バーコードM,A,B,C,P1,P2,F1,F2）を貼付けて製造来歴を管理行い、バーコードの情報を読み取り、情報管理用ＲＯＭ（１−ｘ−５）に書き込んでＭＰＵ１−１−１より製造来歴情報やオプション部の構成情報を読み出せるようにしている。
【００１３】
従来管理方式の例では、バーコード情報を読み取り、管理情報用ＲＯＭに書き込むことを各々で行う必要があるため作業時間がかかってしまう問題があった。また、ＭＰＵから管理情報を読み取り取得することのできるのは管理情報用ＲＯＭを持つ基本制御部とオプション部のみで、電源部・ＦＡＮは取得することができなかった。
【００１４】
さらに、情報処理装置を組み立てた後で、管理情報を取得することができるように外部バーコードラベル１９を付加する必要があり、これも作業時間を増加させるため問題であった。
【００１５】
図２は、本発明の情報処理装置管理システムに使用する高機能電子タグの内部構成図である。
【００１６】
高機能電子タグ１−１−３は、電子タグ部１−１−３−１、電子タグ制御部１−１−３−２、ＭＰＵインタフェース制御部１−１−３−３から構成され、電子タグ部１−１−３−１には外部の電子タグアクセス装置３から情報の読み出し・書込みが可能であり、情報は電子タグ部１−１−３−１に記憶される。電子タグ部１−１−３−１に記憶された情報は、電子タグ制御部１−１−３−２及ぶＭＰＵインタフェース制御部１−１−３−３を通し、ＭＰＵバスを経由して内部のＭＰＵから読み出し・書込みができる。
【００１７】
図３は、本発明の情報処理装置管理システムの例を示す。
【００１８】
本発明の情報処理装置２は、基本制御部２−１、オプション部A〜C（２−２〜２−４）、電源部１，２（２−８，２−９）、ＦＡＮ１，２（２−６，２−７）から構成され、基本制御部２−１とオプション部A〜C（２−２〜２−４）には高機能電子タグ（M,A,B,C）(２−ｘ−８)を設け、電源部１，２（２−８，２−９）とＦＡＮ１，２（１−６，１−７）には電子タグ(P1,P2,F1,F2)（２−ｘ−６）を付加し電子タグ読込み部２−１−３を経由してＭＰＵ２−１−１で管理情報を読み取ることができるようにしている。また、基本制御部２−１の高機能電子タグＭ（２−１−３）はアンテナを情報処理装置２の外部に出して、情報処理装置２の外側からでも管理情報を読み出すことができるようにしている。
【００１９】
基本制御部２−１とオプション部A〜C（２−２〜２−４）の高機能電子タグ（M,A,B,C）(２−ｘ−８)や電源部１，２（２−８，２−９）とＦＡＮ１，２（１−６，１−７）の電子タグには製造時に製造来歴情報（Ｒ）や製品識別コード（Ｋ）の書込みを行う。
【００２０】
情報処理装置に搭載した段階で、ＭＰＵから直接、高機能電子タグや電子タグから製造来歴情報（Ｒ）や製品識別コード（Ｋ）を読み出して、オプション部の搭載の確認や製造来歴の確認を行うことができるので、従来の情報処理装置１のような個別の管理情報用ＲＯＭの書込みをすることやバーコードを読み取ることは不要にできるので作業時間の短縮ができる。
【００２１】
また、従来の情報処理装置１ではできなかった、電源部１，２（２−８，２−９）とＦＡＮ１，２（１−６，１−７）の管理情報も電源部１，２（２−８，２−９）とＦＡＮ１，２（１−６，１−７）に付加した電子タグからＭＰＵ２−１−１から読み出すことができる。
【００２２】
このため、ＭＰＵ２−１−１で読み出した基本制御部２−１とオプション部A〜C（２−２〜２−４）の高機能電子タグ（M,A,B,C）(２−ｘ−８)や電源部１，２（２−８，２−９）とＦＡＮ１，２（１−６，１−７）の電子タグの管理情報は、一括して基本制御部２−１の高機能電子タグＭ２−１−８に格納し、情報処理装置2を組み当てた後でも、外部から読み取ることができるので、従来の情報処理装置１のような外部ベーコードラベル１９の付加は不要で作業時間の短縮ができる。
【００２３】
さらに、前示のように基本制御部２−１とオプション部A〜C（２−２〜２−４）の高機能電子タグ（M,A,B,C）(２−ｘ−８)や電源部１，２（２−８，２−９）とＦＡＮ１，２（１−６，１−７）の電子タグの管理情報をＭＰＵ２−１−１で読み出すことができるので、ＭＰＵ２−１−１で動作するテストプログラムを使用すれば、製造工程や納入先でも容易に管理情報の確認を行うことができる。
【００２４】
大半の情報処理装置で、装置を構成する要素の構成と製造来歴を管理する必要があり、外部から読み書き可能な電子タグにＭＰＵからも読み書き可能なインタフェースを付加した高機能電子タグを設けることで、管理情報の容易な取得が実現できる。
【図面の簡単な説明】
【００２５】
【図１】バーコードと管理情報用ROMを用いた場合のシステム構成図である。
【図２】本発明において用いられる高機能電子タグを示す図である。
【図３】本発明の情報処理装置管理システムを適用した場合のシステム構成図である。
【符号の説明】
【００２６】
２：情報処理装置、２−１：基本制御部、２−１−１：ＭＰＵ、２−１−２：メモリ、２−１−３：電子タグ読込み部、２−２：オプション部Ａ、２−６：ＦＡＮ１、２−８：電源部１、２−１０：バックボード
【図１】
2007207130.tif 000003
【図２】
2007207130.tif 000004
【図３】
2007207130.tif 000005